【手続補正書】
【提出日】平成20年4月9日(2008.4.9)
【手続補正１】
【補正対象書類名】明細書
【補正対象項目名】発明の名称
【補正方法】変更
【補正の内容】
【発明の名称】固形物体を三次元印刷するための流体組成物
【手続補正２】
【補正対象書類名】明細書
【補正対象項目名】特許請求の範囲
【補正方法】変更
【補正の内容】
【特許請求の範囲】
【請求項１】  三次元プリンターで、未結合で遊離し、および自由に流動する粒子材料を選択的に接着して固形物体を形成するための流体組成物であって、前記流体組成物は重合性モノマーおよび光開始剤を含み、３２０〜５００ｎｍの波長および１ジュール／ｃｍ2のエネルギー密度を有する紫外線の照射によって、光開始剤との組み合わせにより硬化して、未結合で遊離し、および自由に流動する粒子材料上の予め決められた位置に固形物を形成できる、流体組成物。
【請求項２】  請求項１において、前記重合性モノマーがメタクリレートモノマー、アクリルモノマーまたはビニルモノマーの内の少なくとも１つを含む、流体組成物。
【請求項３】  請求項２において、前記アクリルモノマーが、トリ（プロピレングリコール）ジアクリレート、エチレングリコールフェニルエーテルアクリレートまたは１，６  ヘキサンジオールジアクリレートの少なくとも１つを含む、流体組成物。
【請求項４】  請求項２において、前記メタクリレートモノマーが、１，３  ブチレングリコールジメタクリレート、ネオペンチルグリコールジメタクリレート、ブチルメタクリレート、１，６  ヘキサンジオールジメタクリレートまたはジ（プロピレングリコール）アリルエーテルメタクリレートの少なくとも１つを含む、流体組成物。
【請求項５】  請求項１において、前記重合性モノマーが、前記遊離し自由に流動する粒子材料中の樹脂の溶媒である、流体組成物。
【請求項６】  請求項５において、前記樹脂が、シェラック、ポリビニルピロリドン、ポリ酢酸ビニル、ポリビニルアルコール、ポリスチレン、スチレン−ブタジエンコポリマーまたはアクリロニトリル−ブタジエン−スチレンコポリマーの少なくとも１つを含む、流体組成物。
【請求項７】  請求項１において、前記遊離し自由に流動する粒子材料が無機化合物を含むフィラーを含む、流体組成物。
【請求項８】  請求項７において、前記フィラーが、クレイ、酸化アルミニウム、二酸化ケイ素、ケイ酸アルミニウム、カリウムケイ酸アルミニウム、ケイ酸カルシウム、水酸化カルシウム、アルミン酸カルシウム、炭酸カルシウム、ケイ酸ナトリウム、酸化亜鉛、二酸化チタン、ガラス、石灰石または磁鉄鉱の内の少なくとも１つを含む、流体組成物。
【請求項９】  請求項７において、前記フィラーの全体にわたって分散した印刷助剤を含む、流体組成物。
【請求項１０】  請求項９において、前記印刷助剤が、ソルビタントリオレエート、ソルビタンモノオレエート、ソルビタンモノラウレート、ポリオキシエチレンソルビタンモノオレエート、ポリエチレングリコール、大豆油、鉱油、プロピレングリコール、フルオロアルキル（ｆｌｕｒｏａｋｌｋｙｌ）ポリオキシエチレンポリマー、グリセロールトリアセテート、ポリプロピレングリコール、エチレングリコールオクタノエート、エチレングリコールデカノエート、２，４，７，９−テトラメチル−５−デシン−４，７−ジオールのエトキシル化誘導体、オレイルアルコールまたはオレイン酸の内の少なくとも１つを含む、流体組成物。
【請求項１１】  三次元プリンターで、遊離し自由に流動する粒子材料を選択的に接着して固形物体を形成するためのバインダー組成物であって、前記バインダー組成物が液体と組み合わせた接着剤を含み、前記接着剤が重合性モノマーを含む、流体組成物。
【請求項１２】  三次元プリンターで、未結合で遊離し、および自由に流動する粒子材料を選択的に接着して固形物体を形成するための流体組成物であって、前記組成物がポリメタクリル酸、ポリメタクリル酸ナトリウム塩およびポリスチレンスルホン酸ナトリウムからなるグループから選択される化合物からなるアニオン的にイオン化可能なポリマーを含む、流体組成物。
【請求項１３】  三次元プリンターで、未結合で遊離し、および自由に流動する粒子材料を選択的に接着して固形物体を形成するための流体組成物であって、前記流体組成物がカチオン性ポリマーを含む、流体組成物。
【請求項１４】  請求項１３において、前記ポリマーがポリエチレンイミンおよびポリジアリルジメチルアンモニウムクロリドを含む、流体組成物。
【請求項１５】  三次元プリンターで、未結合で遊離し、および自由に流動する粒子材料を選択的に接着して固形物体を形成するための流体組成物であって、前記流体組成物が非イオン性ポリマーを含む、流体組成物。
【請求項１６】  請求項１５において、前記非イオン性ポリマーが、ポリビニルピロリドン、ポリビニルピロリドンのポリ酢酸ビニルとのコポリマー、ポリビニルアルコール、ポリビニルメチルエーテル、ポリアクリルアミドまたはポリ−２−エチル−２−オキサゾリンの内の少なくとも１つを含む、流体組成物。
【請求項１７】  三次元プリンターで、未結合で遊離し、および自由に流動する粒子材料を選択的に接着して固形物体を形成するための流体組成物であって、前記接着剤が、ポリメタクリル酸、ポリメタクリル酸ナトリウム塩、ポリスチレンスルホン酸ナトリウムおよびポリエチレンイミンからなるグループから選択されるポリマーを含む、流体組成物。
【請求項１８】  三次元プリンターで、未結合で遊離し、および自由に流動する粒子材料を選択的に接着して固形物体を形成するための流体組成物であって、前記流体組成物は重合性モノマーを含み、前記接着剤がポリメチルメタクリレート、ポリスチレン、天然ゴム、ポリウレタン、ポリ酢酸ビニルおよびアルキド樹脂からなるグループから選択されるポリマーを含む、流体組成物。
【請求項１９】  三次元プリンターで、未結合で遊離し、および自由に流動する粒子材料を選択的に接着して固形物体を形成するためのバインダー流体組成物であって、前記バインダー流体組成物が重合性モノマーおよび液体と組み合わせた接着剤を含み、前記接着剤がポリメチルメタクリレート、ポリスチレン、天然ゴム、ポリウレタン、ポリ酢酸ビニルおよびアルキド樹脂からなるグループから選択されるポリマーを含む、バインダー流体組成物。
【請求項２０】  三次元プリンターで、未結合で遊離し、および自由に流動する粒子材料を選択的に接着して固形物体を形成するための流体組成物であって、前記接着剤が、ポリリン酸ナトリウム、リン酸水素ナトリウム、ピロリン酸水素ナトリウム、四ホウ酸ナトリウム、リン酸水素アンモニウム、塩化ナトリウム、硝酸アンモニウム、硫酸カリウム、塩化アンモニウムおよびギ酸カルシウムからなるグループから選択される無機溶質を含む、流体組成物。
【請求項２１】  三次元物体を形成する方法であって、
未結合で遊離し、および自由に流動する粒子材料の層を形成するステップと、
流体組成物を前記粒子材料の層の予め決められた位置に塗布して、粒子材料をその予め決められた位置で結合させるステップとを含み、
前記流体組成物が重合性モノマーを含む、方法。
【請求項２２】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包み、
前記流体組成物が、ポリメタクリル酸、ポリメタクリル酸ナトリウム塩およびポリスチレンスルホン酸ナトリウムからなるグループから選択される化合物からなるアニオン的にイオン化可能なポリマーを含む、方法。
【請求項２３】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包み、
前記流体組成物がカチオン性ポリマーを含む、方法。
【請求項２４】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包み、
前記流体組成物が非イオン性ポリマーを含む、方法。
【請求項２５】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包み、
前記流体組成物が、ポリメタクリル酸、ポリメタクリル酸ナトリウム塩、ポリスチレンスルホン酸ナトリウムおよびポリエチレンイミンからなるグループから選択されるポリマーを含む、方法。
【請求項２６】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包み、
前記流体組成物が、ポリメチルメタクリレート、ポリスチレン、天然ゴム、ポリウレタン、ポリ酢酸ビニルおよびアルキド樹脂からなるグループから選択される水系コロイドを含む、方法。
【請求項２７】  三次元物体を形成する方法であって、
未結合で遊離し、および自由に流動する粒子材料の層を形成するステップと、
流体組成物を前記粒子材料の層の特定の位置に塗布して、粒子材料を特定の位置で結合させるステップとを包含し、
前記流体組成物が、ポリリン酸ナトリウム、四ホウ酸ナトリウム、塩化ナトリウム、硝酸アンモニウム、硫酸カリウム、塩化アンモニウムおよびギ酸カルシウムからなるグループから選択される無機溶質を含む、方法。
【請求項２８】  請求項２１に記載の方法であって、さらに粒子材料の層形成と流体組成物の塗布を繰り返すステップを含む、方法。
【手続補正３】
【補正対象書類名】明細書
【補正対象項目名】００３９
【補正方法】変更
【補正の内容】
【００３９】
液体に曝されていない粒子混合物の部分３２は結合しない（遊離した）ままであり、移動可能な表面上を自由に流動できる。結合していない（未結合の）粒子混合物は、最終物品の形成が完了するまでその場所に放置しておいてもよい。未結合で遊離した粒子混合物をその場に残すことにより、処理の間における物品の支持が確実になり、支持構造物を用いることなく突出、下部の切り落としおよび空洞のような形状（図示していないが、通常の形状である）を形成することが可能になる。最終物品の第１の断面部を形成した後、移動可能な表面を下方向に位置合わせする。